(57)【要約】      （修正有）【課題】ロック及びロック解除構造を有するコネクタを提供する。【解決手段】オスヘッドは第一ハウジング１２２と、第二ハウジング１２４と、第一絶縁体１２６と、を含む。第一絶縁体には第一位置決め部材、第三位置決め部材、第五位置決め部材、及び第一作用部材が形成されている。メスヘッドは第二絶縁体１４２と、押圧部材１４４と、固定部材１４６と、端子１４８と、を具備している。第二絶縁体は第二位置決め部材と、第四位置決め部材と、第六位置決め部材と、を備えている。第四位置決め部材は第五位置決め部材に対応するように設置されている。第六位置決め部材は第三位置決め部材に対応するように設置されている。第一絶縁体が第二絶縁体に向けて移動すると、押圧部材が第一回転方向に回転し、第一絶縁体が第二絶縁体に係合され、且つ押圧部材が第二回転方向に回転し、第一絶縁体が押圧部材の押動を受けて第二絶縁体から脱離する。【選択図】図２
0003235253.tif 000002
【実用新案登録請求の範囲】
【請求項１】
プリント回路基板及び第一接地銅箔面と第二接地銅箔面とを有しているフレキシブルケーブルを接続するためのロック及びロック解除構造を有するコネクタであって、前記ロック及びロック解除構造を有するコネクタは、
第一ハウジングと、第二ハウジングと、第一絶縁体とを有し、前記第一ハウジングは前記第二ハウジングに結合されて前記第一絶縁体を被覆し、前記第一絶縁体は前記第一ハウジングの一側に前記フレキシブルケーブルを収容するための収容空間が形成され、前記第一絶縁体には第一位置決め部材、第三位置決め部材、第五位置決め部材、及び第一作用部材が形成され、前記第一位置決め部材は前記収容空間を貫通し、前記第三位置決め部材及び前記第五位置決め部材が第一方向に延伸され、前記第一方向及び前記フレキシブルケーブルの挿入方向は９０度に近いか等しく、前記第一作用部材は前記第一ハウジングの前記フレキシブルケーブルを挿入する一側の対向側に形成されているオスヘッドと、
第二絶縁体と、押圧部材と、固定部材と、端子とを有し、前記第二絶縁体は前記押圧部材、前記固定部材、及び前記端子に結合され、前記第二絶縁体は第二位置決め部材と、第四位置決め部材と、第六位置決め部材とを有し、前記第二位置決め部材は前記第一位置決め部材に対応するように設置され、前記第四位置決め部材は前記第五位置決め部材に対応するように設置され、前記第六位置決め部材は前記第三位置決め部材に対応するように設置され、前記固定部材は前記第二絶縁体を前記プリント回路基板に固定するメスヘッドと、を備え、
前記第一絶縁体が前記第二絶縁体に向けて移動すると、前記押圧部材が第一回転方向に回転し、前記第一絶縁体が前記第二絶縁体に係合され、且つ前記押圧部材が第二回転方向に回転し、前記第一絶縁体が前記押圧部材の押動を受けて前記第二絶縁体から脱離することを特徴とするロック及びロック解除構造を有するコネクタ。
【請求項２】
前記第一ハウジングは第一係合具をさらに備え、前記第二ハウジングは第三係合具をさらに備え、前記第一絶縁体は第五係合具をさらに備え、前記第三係合具は前記第一係合具及び前記第五係合具に対応するように設置され、前記第一係合具、前記第三係合具、及び前記第五係合具を係合することにより、前記第一ハウジング、前記第二ハウジング、及び前記第一絶縁体が相互に組み合わせられ、前記第一係合具、前記第三係合具、及び前記第五係合具の数量は１つまたは複数であることを特徴とする請求項１に記載のロック及びロック解除構造を有するコネクタ。
【請求項３】
前記第一ハウジングは第一弾性片をさらに備え、前記第一弾性片の自由端は前記第一接地銅箔面に接触する第三接触点を有し、前記第二ハウジングは第三弾性片をさらに備え、前記第三弾性片の自由端は前記第二接地銅箔面に接触する第五接触点を有していることを特徴とする請求項１に記載のロック及びロック解除構造を有するコネクタ。
【請求項４】
前記固定部材は、一端が前記プリント回路基板に接続され、他端が前記第二ハウジングに接触する第二接触点をさらに備えていることを特徴とする請求項１に記載のロック及びロック解除構造を有するコネクタ。
【請求項５】
前記第二絶縁体は第二係合具をさらに備え、前記固定部材は第八係合具をさらに備え、前記第二係合具は前記第八係合具に対応するように設置され、前記第二係合具が前記第八係合具に係合すると前記第二絶縁体が前記固定部材により前記プリント回路基板に固定され、且つ前記第二係合具及び前記第八係合具の数量は１つまたは複数であり、前記第二絶縁体は第四係合具をさらに備え、前記押圧部材は第十係合具をさらに備え、前記第四係合具は前記第十係合具に対応するように設置され、前記第四係合具が前記第十係合具に係合すると前記第二絶縁体により前記押圧部材が前記第一回転方向または前記第二回転方向に回転され、前記第四係合具及び前記第十係合具の数量は１つまたは複数であり、前記第一絶縁体は第一作用部材をさらに備え、前記押圧部材は第六係合具をさらに備え、前記第一作用部材が前記第六係合具に組み合わせられると前記押圧部材が前記第一回転方向に回転し、前記第一絶縁体が前記第二絶縁体に係合し、或いは前記第一作用部材が前記第六係合具から脱離すると前記押圧部材が前記第二回転方向に回転し、第一絶縁体が前記第二絶縁体から脱離し、前記第一絶縁体は第七係合具をさらに備え、前記押圧部材は第十二係合具をさらに備え、前記第一作用部材が前記第六係合具に組み合わせられると、前記第一作用部材が前記第六係合具に係合するように前記第七係合具が前記第十二係合具に係合することを特徴とする請求項１に記載のロック及びロック解除構造を有するコネクタ。
【考案の詳細な説明】
【技術分野】
【０００１】
本考案は、コネクタの分野に関し、更に詳しくは、ロック及びロック解除構造を有するコネクタ（Ａ  ｃｏｎｎｅｃｔｏｒ  ｗｉｔｈ  ａ  ｌｏｃｋｉｎｇ  ａｎｄ  ｕｎｌｏｃｋｉｎｇ  ｓｔｒｕｃｔｕｒｅ）に関する。
【背景技術】
【０００２】
ＬＶＤＳコネクタ等の従来のコネクタは、ケーブル端に位置しているロック解除装置によりロック解除を行うが、操作するための広い空間が必要であった。また、ケーブル端に位置しているため、ロックが解除されているのか、それともロック状態にあるのかを明確に判断できず、ロック解除が未完了の状態で無理にケーブルを引っ張り出すと、ロック構造が破壊されてしまった。これを鑑み、両側に牽引棒構造を設置することで上述の問題を解決するものが開発された。牽引棒構造は自動ロック及び自動跳ね起きロック解除の目的を実現し、ロック状態及びロック解除状態を容易に識別可能であるが、コネクタを小型やマイクロ型の応用分野に適用する場合、ユーザーが牽引棒を操作するのが難しくなった。
【０００３】
そこで、本考案者は上記の欠点が改善可能と考え、鋭意検討を重ねた結果、合理的設計で上記の課題を効果的に改善する本考案のロック及びロック解除構造を有するコネクタの提案に至った。
【考案の概要】
【考案が解決しようとする課題】
【０００４】
本考案の第一の目的は、フレキシブルケーブル及びプリント回路基板を接続可能なロック及びロック解除構造を有するコネクタを提供する。
【０００５】
本考案の第二の目的は、上述のロック及びロック解除構造を有するコネクタにより、第一絶縁体に形成される対置部材及び第二絶縁体に形成される対置部材により、オスヘッドをメスヘッドに簡単に取り付け可能にする、或いはメスヘッドから簡単に脱離可能にする。
【０００６】
本考案の第三の目的は、上述のロック及びロック解除構造を有するコネクタにより、第一絶縁体が第二絶縁体に向けて移動すると、押圧部材が第一回転方向に回転し、第一絶縁体が第二絶縁体に係合され、且つ押圧部材が第二回転方向に回転し、第一絶縁体が押圧部材により押動されて第二絶縁体から脱離するようにする。
【０００７】
本考案の第四の目的は、上述のロック及びロック解除構造を有するコネクタにより、プリント回路基板及びフレキシブルケーブルの接地端に接触する複数の接触部材を提供し、コネクタの接地面積を広げ、電磁波による干渉を回避する。
【０００８】
本考案の第五の目的は、上述のロック及びロック解除構造を有するコネクタにより、位置決め部材及び位置決め切り欠きを提供し、位置決め部材は位置決め切り欠きに対応するように設置され、位置決め部材を位置決め切り欠きに設置することによりハウジングを絶縁体に係合する。
【課題を解決するための手段】
【０００９】
上記目的を達成するための主たる考案は、ロック及びロック解除構造を有するコネクタはプリント回路基板及び第一接地銅箔面と第二接地銅箔面とを有しているフレキシブルケーブルに接続可能である。ロック及びロック解除構造を有するコネクタはオスヘッド及びメスヘッドを備えている。オスヘッドは第一ハウジングと、第二ハウジングと、第一絶縁体と、を含む。第一ハウジングは第二ハウジングに結合されて第一絶縁体を被覆している。第一絶縁体には第一ハウジングの一側にフレキシブルケーブルを収容可能な収容空間が形成されている。第一絶縁体には第一位置決め部材、第三位置決め部材、第五位置決め部材、及び第一作用部材が形成されている。第一位置決め部材は収容空間を貫通している。第三位置決め部材及び第五位置決め部材は第一方向に延伸されている。第一方向及びフレキシブルケーブルの挿入方向は９０度に近いか等しい。第一作用部材は第一ハウジングのフレキシブルケーブルが挿入される一側の対向側に形成されている。メスヘッドは第二絶縁体と、押圧部材と、固定部材と、端子と、を具備している。第二絶縁体には押圧部材、固定部材、及び端子が結合されている。第二絶縁体は第二位置決め部材と、第四位置決め部材と、第六位置決め部材と、を備えている。第二位置決め部材は第一位置決め部材に対応するように設置されている。第四位置決め部材は第五位置決め部材に対応するように設置されている。第六位置決め部材は第三位置決め部材に対応するように設置されている。固定部材は第二絶縁体をプリント回路基板に固定可能である。第一絶縁体が第二絶縁体に向けて移動すると、押圧部材が第一回転方向に回転し、第一絶縁体が第二絶縁体に係合され、且つ押圧部材が第二回転方向に回転し、第一絶縁体が押圧部材により押動されて第二絶縁体から脱離する。
【考案の効果】
【００１０】
本考案によれば、次のような効果がある。
従来のコネクタと比較すると、本考案に係るロック及びロック解除構造を有するコネクタは、第一部材に予め結合されているフレキシブルケーブルを提供し、第二部材が設置されているプリント回路基板に容易に結合可能になり、フレキシブルケーブルをプリント回路基板に簡単にロック可能になる。また、大面積を有している押圧部材により、フレキシブルケーブルをプリント回路基板に容易に電気的に接続可能になる、或いはフレキシブルケーブルをプリント回路基板から容易に脱離可能になる。
【００１１】
本明細書及び図面の記載により、少なくとも、以下の事項が明らかとなる。
【図面の簡単な説明】
【００１２】
【図１】本考案の第１実施例に係るロック及びロック解除構造を有するコネクタがプリント回路基板及びフレキシブルケーブルを接続する外観斜視図である。
【図２】図１に示すロック及びロック解除構造を有するコネクタを示す傾斜概略構成図である。
【図３（ａ）】図１に示すオスヘッドを示す第一視角図である。
【図３（ｂ）】図１に示すオスヘッドを示す正面図である。
【図３（ｃ）】図１に示すオスヘッドを示す側面図である。
【図４（ａ）】図３（ａ）に示す第一ハウジングを示す正面図である。
【図４（ｂ）】図３（ａ）に示す第一ハウジングを示す側面図である。
【図５】図３（ａ）に示す第二ハウジングを示す詳細な概略構成図である。
【図６（ａ）】図２に示すメスヘッドを示す第一視角図である。
【図６（ｂ）】図２に示すメスヘッドを示す背面図である。
【図６（ｃ）】図２に示すメスヘッドを示す断面図である。
【図７（ａ）】図２に示すロック及びロック解除構造を有するコネクタを示す第一視角図である。
【図７（ｂ）】図７（ａ）に示すコネクタのＡ−Ａ線に沿う断面図である。
【考案を実施するための形態】
【００１３】
以下に図面を参照して、本考案を実施するための形態について、詳細に説明する。なお、本考案は、以下に説明する実施形態に限定されるものではない。
【００１４】
本明細書において、「１」または「１つ」という用語を使用して本文の単位、部材、及び組立部材を説明している。これは説明を分かりやすくするためにすぎず、本考案の範疇について一般的な意義を提供している。よって、他の意味が明示されていない限り、このような描写は１つ及び少なくとも１つという意味を含み、且つ単数と同時に複数も含むと理解すべきである。
【００１５】
なお、本明細書において、「備える」、「含む」、「有している」、「含有している」、或いは他の類似するあらゆる用語は被排他的に包括する物品を含む。一例を挙げると、複数の要素を含む部材、構造、製品、または装置が本文に列挙された要素に限られず、明確に列挙されていないが前記部材、構造、製品、または装置が通常固有の他の要素であるものも含まれる。このほか、明確に反対の説明がなされていない限り、「或いは」という用語  は包括的な「或いは」という意義を指し、排他的な「或いは」ではない。
【００１６】
図１は本考案の第１実施例に係るロック及びロック解除構造を有するコネクタがプリント回路基板及びフレキシブルケーブルを接続する外観斜視図である。図１において、ロック及びロック解除構造を有するコネクタ１０はプリント回路基板４及び第一接地銅箔面２２と第二接地銅箔面２４とを有しているフレキシブルケーブル２を接続可能である。
【００１７】
図２は図１に示すロック及びロック解除構造を有するコネクタを示す傾斜概略構成図である。図２において、ロック及びロック解除構造を有するコネクタ１０はオスヘッド１２及びメスヘッド１４を備えている。
【００１８】
以下、図３（ａ）乃至図３（ｃ）は図１に示すオスヘッドを示す詳細な構成図である。図３（ａ）は図１に示すオスヘッドを示す第一視角図である。図３（ｂ）は図１に示すオスヘッドを示す正面図である。図３（ｃ）は図１に示すオスヘッドを示す側面図である。オスヘッド１２は第一ハウジング１２２と、第二ハウジング１２４と、第一絶縁体１２６と、を備えている。
【００１９】
第一ハウジング１２２は第二ハウジング１２４に結合されて第一絶縁体１２６を被覆している。第一ハウジング１２２及び第二ハウジング１２４の材質は金属材質または導電材質である。
【００２０】
第一絶縁体１２６には第一ハウジング１２２の一側にフレキシブルケーブル２を収容可能な収容空間が形成されている。第一絶縁体１２６には第一位置決め部材１２６２、第三位置決め部材１２６４、第五位置決め部材１２６６、第一作用部材１２６１０、及び第五係合具１２６８が形成されている。ここでは、第一位置決め部材１２６２、第三位置決め部材１２６４、第五位置決め部材１２６６、第一作用部材１２６１０、及び第五係合具１２６８は第一絶縁体１２６から延伸されて異なる形状のバンプを有し、後続の係合具、位置決め部材等の異なる構造に適用する。第一位置決め部材１２６２、第三位置決め部材１２６４、第五位置決め部材１２６６、第一作用部材１２６１０、及び第五係合具１２６８の数量は１つまたは複数でもよい。
【００２１】
第一位置決め部材１２６２は収容空間を貫通している。第三位置決め部材１２６４及び第五位置決め部材１２６６は第一方向（図３（ｂ）を例に説明すると、第一方向は図面の下向きの方向）に延伸されている。第一方向及びフレキシブルケーブル２の挿入方向は９０度に近いか等しい。
【００２２】
第一作用部材１２６１０は第一ハウジング１２２のフレキシブルケーブルを挿入する一側の対向側に形成されている。
【００２３】
図４（ａ）乃至図４（ｂ）は図３に示す第一ハウジングを示す詳細な構成図である。図４（ａ）は図３（ａ）に示す第一ハウジングを示す正面図である。図４（ｂ）は図３（ａ）に示す第一ハウジングを示す側面図である。
【００２４】
第一ハウジング１２２は第一係合具１２２２及び第一弾性片１２２４をさらに備えている。第一係合具１２２２は１つまたは複数であり、本実施例では、第一係合具１２２２の数量が７つであるものを例として説明し、且つ第一係合具１２２２の形状は開口状を呈している。また、第一弾性片１２２４は第一ハウジング１２２の表面から内側に向けて延伸され、且つその自由端は第三接触点１２２４２を有し、第三接触点１２２４２は第一接地銅箔面２２に電気的に接触している。
【００２５】
図５は図３（ａ）に示す第二ハウジングを示す詳細な概略構成図である。図５において、第二ハウジング１２４は第三係合具１２４２、１２４２’及び第三弾性片１２４８をさらに備えている。第三係合具１２４２、１２４２’は１つまたは複数であり、本実施例では、第三係合具１２４２、１２４２’の数量は第一係合具１２２２の数量に対応し、同様に７つであるものを例として説明し、且つ第三係合具１２４２、１２４２’の形状は開口状またはバンプ状を呈している。また、第三弾性片１２４８は自由端に第二接地銅箔面２４に接触するための第五接触点１２４６を有している。
【００２６】
前記第一絶縁体は第五係合具をさらに備え、前記第三係合具は前記第一係合具及び前記第五係合具に対応するように設置されている。前記第一係合具、前記第三係合具、及び前記第五係合具を係合することにより、前記第一ハウジング、前記第二ハウジング、及び前記第一絶縁体が相互に組み合わせられる。前記第一係合具、前記第三係合具、及び前記第五係合具の数量は１つまたは複数である。
【００２７】
他の実施例では、第三係合具１２４２’は第一接触点１２４４を有しているバンプであり、第一係合具１２２２の開口部がバンプに電気的に接続され、第一接触点１２４４によりバンプが開口部に係合される。
【００２８】
本実施例では、第三係合具１２４２が第一係合具１２２２及び第五係合具１２６８に対応するように設置され、第一係合具１２２２、第三係合具１２４２、１２４２’、及び第五係合具１２６８を係合することにより、第一ハウジング１２２、第二ハウジング１２４、及び第一絶縁体１２６が相互に組み合わせられる。
【００２９】
図６（ａ）乃至図６（ｃ）は図２に示すメスヘッドを示す詳細な構成図である。図６（ａ）は図２に示すメスヘッドを示す第一視角図である。図６（ｂ）は図２に示すメスヘッドを示す背面図である。図６（ｃ）は図２に示すメスヘッドを示す断面図である。メスヘッド１４は第二絶縁体１４２と、押圧部材１４４と、固定部材１４６と、端子１４８と、を備えている。第二絶縁体１４２は押圧部材１４４、固定部材１４６、及び端子１４８に結合されている。
【００３０】
第二絶縁体１４２は第二位置決め部材１４２２と、第四位置決め部材１４２４と、第六位置決め部材１４２１２と、を備えている。第二位置決め部材１４２２は第一位置決め部材１２６２に対応するように設置され、本実施例では、第二位置決め部材１４２２は細長い矩形のバンプであり、第一位置決め部材１２６２は収容空間の開口部を貫通している。第四位置決め部材１４２４は第五位置決め部材１２６６に対応するように設置され、本実施例では、第四位置決め部材１４２４は凹溝状を呈し、第五位置決め部材１２６６はバンプである。第六位置決め部材１４２１２は第三位置決め部材１２６４に対応するように設置され、本実施例では、第六位置決め部材１４２１２は凹溝状を呈し、第三位置決め部材１２６４はバンプであり、第五位置決め部材１２６６の長さは第三位置決め部材１２６４の長さよりも長い。第二位置決め部材１４２２、第四位置決め部材１４２４、及び第六位置決め部材１４２１２により誤って挿脱するのを防止する効果を達成している。すなわち、第三位置決め部材１２６４の長さが第五位置決め部材１２６６の長さよりも短いか等しく、第二位置決め部材１４２２の長さが第五位置決め部材１２６６の長さよりも長いか等しい。
【００３１】
押圧部材１４４には第六係合具１４４２、第十係合具１４４４、１４４４’、第十二係合具１４４６、及び作用部１４４８が設置されている。押圧部材１４４は細長い牽引棒体であり、第十係合具１４４４、１４４４’は第二絶縁体１４２の一側に係合されている。作用部１４４８は操作者が作用力を付勢するために用いられる。
【００３２】
固定部材１４６は第二絶縁体１４２をプリント回路基板４に固定可能である。他の実施例では、固定部材１４６は、一端がプリント回路基板４に接続され、他端が第二ハウジング１２４に接触している第二接触点１４６４をさらに備えている。
【００３３】
ここでは、第二絶縁体１４２は第二係合具１４２８をさらに備え、固定部材１４６は第八係合具１４６２をさらに備えている。第二係合具１４２８は第八係合具１４６２に対応するように設置されている。ここでは、第二係合具１４２８がバンプであり、第八係合具１４６２が開口部であるものを例として説明する。第二係合具１４２８が第八係合具１４６２に係合することにより、第二絶縁体１４２が固定部材１４６によりプリント回路基板４に固定される。第二係合具１４２８及び第八係合具１４６２の数量は１つまたは複数である。
【００３４】
また、第二絶縁体１４２は第四係合具１４２１０をさらに備えている。ここでは、第四係合具１４２１０は溝体であり、第十係合具１４４４、１４４４’は軸受けを有している構造であり、その組み合わせ方式は図６（ｃ）を参照する。第四係合具１４２１０は第十係合具１４４４、１４４４’に対応するように設置され、第四係合具１４２１０が第十係合具１４４４、１４４４’に係合することにより、押圧部材１４４が第二絶縁体１４２により図７（ａ）に示すような第一回転方向Ｄ１或いは第二回転方向Ｄ２への回転を実行する。第四係合具１４２１０及び第十係合具１４４４、１４４４’の数量は１つまたは複数でもよい。
【００３５】
また、第一絶縁体１２６が第一作用部材１２６１０（ここでは、バンプであるものを例として説明する）を備え、押圧部材１４４が第六係合具１４４２（ここでは、凹溝であるものを例として説明する）をさらに備えている場合、第一作用部材１２６１０が前記第六係合具１４４２に組み合わせられることにより、押圧部材１４４が第一回転方向Ｄ１に回転し、第一絶縁体１２６が第二絶縁体１４２に係合し、或いは第一作用部材１２６１０により第六係合具１４４２が脱離し、押圧部材１４４が第二回転方向Ｄ２に回転し、第一絶縁体１２６が第二絶縁体１４２から脱離する。
【００３６】
他の実施例では、第一絶縁体１２６は第七係合具１２６１２をさらに備え、押圧部材１４４は第十二係合具１４４６をさらに備えている。第七係合具１２６１２は第一作用部材１２６１０に形成され、第一作用部材１２６１０が第六係合具１４４２に組み合わせられると、第七係合具１２６１２が第十二係合具１４４６に係合し、第一作用部材１２６１０が第六係合具１４４２に係合し、組み合わせ強度がさらに強化され、振動や他の要因により押圧部材１４４がオスヘッド１２をロック解除しないようにしている。
【００３７】
図７（ａ）と図７（ｂ）は図２に示すロック及びロック解除構造を有するコネクタを示す組み合わせ概略図である。図７（ａ）は図２に示すロック及びロック解除構造を有するコネクタを示す第一視角図である。図７（ｂ）は図７（ａ）に示すコネクタのＡ−Ａ線に沿う断面図である。
【００３８】
第一絶縁体１２６が第二絶縁体１４２に向けて移動すると、押圧部材１４４が第一回転方向Ｄ１に回転し、第一絶縁体１２６が第二絶縁体１４２に係合される。また、押圧部材１４４が第二回転方向Ｄ２に回転し、第一絶縁体１２６が押圧部材１４４により押動されて第二絶縁体１４２から脱離する。
【００３９】
上記説明は、本考案を説明するためのものであって、実用新案登録請求の範囲に記載の考案を限定し、或いは範囲を限縮するように解すべきではない。また、本考案の各部構成は、上記実施例に限らず、実用新案登録請求の範囲に記載の技術的範囲内で種々の変形が可能であることは勿論である。
【符号の説明】
【００４０】
２  フレキシブルケーブル
２２  第一接地銅箔面
２４  第二接地銅箔面
４  プリント回路基板
１０  ロック及びロック解除構造を有するコネクタ
１２  オスヘッド
１２２  第一ハウジング
１２２２  第一係合具
１２２４  第一弾性片
１２２４２  第三接触点
１２４  第二ハウジング
１２４２  第三係合具
１２４２’  第三係合具
１２４４  第一接触点
１２４６  第五接触点
１２４８  第三弾性片
１２６  第一絶縁体
１２６２  第一位置決め部材
１２６４  第三位置決め部材
１２６６  第五位置決め部材
１２６８  第五係合具
１２６１０  第一作用部材
１２６１２  第七係合具
１４  メスヘッド
１４２  第二絶縁体
１４２２  第二位置決め部材
１４２４  第四位置決め部材
１４２８  第二係合具
１４２１０  第四係合具
１４２１２  第六位置決め部材
１４４  押圧部材
１４４２  第六係合具
１４４４  第十係合具
１４４４’  第十係合具
１４４６  第十二係合具
１４４８  作用部
１４６  固定部材
１４６２  第八係合具
１４６４  第二接触点
１４８  端子
【図１】
0003235253.tif 000003
【図２】
0003235253.tif 000004
【図３（ａ）】
0003235253.tif 000005
【図３（ｂ）】
0003235253.tif 000006
【図３（ｃ）】
0003235253.tif 000007
【図４（ａ）】
0003235253.tif 000008
【図４（ｂ）】
0003235253.tif 000009
【図５】
0003235253.tif 000010
【図６（ａ）】
0003235253.tif 000011
【図６（ｂ）】
0003235253.tif 000012
【図６（ｃ）】
0003235253.tif 000013
【図７（ａ）】
0003235253.tif 000014
【図７（ｂ）】
0003235253.tif 000015